(57)【要約】【課題】帯状のストラップ本体を有するネックストラップにおいて、ストラップ本体の両面を各々別デザインのものとして独立した商品価値を持たせることができると共に、使用中にストラップ本体が反転しても、表裏を感じさせることのないリバーシブルネックストラップを提供する。【解決手段】帯状物を環状に形成したストラップ本体２と、ストラップ本体２の端部に形成された接続孔３と、接続孔３に挿通された接続具４と、を備えたリバーシブルネックストラップ１において、接続孔３が、ストラップ本体２の両端部２ａ，２ｂを互いに内側に折返し、両端部２ａ，２ｂを接合して形成されている。【選択図】図１
2008200408.tif 000002
【特許請求の範囲】
【請求項１】
帯状物を環状に形成したストラップ本体と、該ストラップ本体の端部に形成された接続孔と、該接続孔に挿通された接続具と、を備えたリバーシブルネックストラップにおいて、
前記接続孔が、前記ストラップ本体の両端部を互いに内側に折返し、該両端部を接合して形成されていることを特徴とするリバーシブルネックストラップ。
【請求項２】
前記ストラップ本体の表裏面に模様が描かれ、リバーシブルに使用可能に構成されていることを特徴とする請求項１に記載のリバーシブルネックストラップ。
【発明の詳細な説明】
【技術分野】
【０００１】
この発明は、リバーシブルネックストラップに関するものである。
【背景技術】
【０００２】
従来から、携帯電話やデジタルカメラなどに取り付ける携帯ストラップが広く知られている（例えば、特許文献１参照）。
また、上述の携帯ストラップの中で、携帯電話や会社の従業員証などを首から吊り下げて使用するネックストラップがある。このようなネックストラップは、携帯電話や従業員証など複数のアイテムを同時に吊り下げて使用することが多いため、強度および付け心地などを考慮して、ストラップ本体は紐状ではなく帯状のものが広く使用されている。
【特許文献１】登録実用新案第３０４１３９４号公報（第２図）
【発明の開示】
【発明が解決しようとする課題】
【０００３】
上述のネックストラップは、帯状のストラップ本体の端部を折り曲げて環状の接続孔を形成し、その接続孔に主に金属製のリングを取り付け、そのリングに携帯電話や従業員証を収納するカードホルダーなどを吊り下げて使用している。
ところで、図３に示すように、従来のネックストラップ１００では、接続孔３３を形成する際に、ストラップ本体２２の一端部２２ａが外側に露出した状態で糸５５などにより接合されており、使用者がネックストラップ１００を首から吊り下げた際に、一端部２２ａが構成されている面が外側（表側）に露出しているとネックストラップ１００が裏返っていると思い、ストラップ本体２２を捻って一端部２２ａが背面に隠れるように調整したり、ネックストラップ１００を再度付け直したりしなければならないという問題があった。
また、一端部２２ａがストラップ本体２２の外側に露出しているため、ストラップ本体２２の表面と裏面とが明らかに認識され、裏面側はあくまで製品の裏面であるという見方しかできず、裏面を広告スペースなどとして有効活用ができていないという問題があった。
【０００４】
そこで、この発明は、上述の事情を鑑みてなされたものであり、帯状のストラップ本体を有するネックストラップにおいて、ストラップ本体の両面を各々別デザインのものとして独立した商品価値を持たせることができると共に、使用中にストラップ本体が反転しても、表裏を感じさせることのないリバーシブルネックストラップを提供するものである。
【課題を解決するための手段】
【０００５】
上記の課題を解決するために、請求項１に記載した発明は、帯状物を環状に形成したストラップ本体と、該ストラップ本体の端部に形成された接続孔と、該接続孔に挿通された接続具と、を備えたリバーシブルネックストラップにおいて、前記接続孔が、前記ストラップ本体の両端部を互いに内側に折返し、該両端部を接合して形成されていることを特徴とする。
このように構成することで、ストラップ本体の両端部を外側へ露出することなく内側に配置することができる。
【０００６】
請求項２に記載した発明は、前記ストラップ本体の表裏面に模様が描かれ、リバーシブルに使用可能に構成されていることを特徴とする。
このように構成することで、表面および裏面のいずれの面が外側に露出しても模様が描かれており、ストラップ本体が裏返っていると感じることを無くすことができる。
【発明の効果】
【０００７】
請求項１に記載した発明によれば、ストラップ本体の両端部を外側へ露出することなく内側に配置することができるため、使用中にストラップ本体が反転しても、帯状のストラップ本体の表裏を感じさせず、見栄えが向上すると共に、ストラップ本体の両面を各々別デザインのものとして独立した商品価値を持たせることができるという効果がある。
【０００８】
請求項２に記載した発明によれば、表面および裏面のいずれの面が外側に露出しても模様が描かれており、ストラップ本体が裏返っていると感じることを無くすことができるため、使用者がリバーシブルに使用することができると共に、より見栄えを向上することができる効果がある。
【発明を実施するための最良の形態】
【０００９】
次に、この発明の実施形態を図１、図２に基づいて説明する。
図１に示すように、本実施形態のリバーシブルネックストラップ１は、帯状で布製のストラップ本体２と、ストラップ本体２を形成している帯の両端部２ａ，２ｂをそれぞれ内側に折り返すことで形成される接続孔３と、接続孔３に取り付けられた金属製の環状リング４とを備えている。
【００１０】
また、ストラップ本体２は、一方の面２ｃには模様Ａが描かれており、他方の面２ｄには模様Ｂが描かれている。さらに、ストラップ本体２は、首から下げられる程度の長さを有している。
【００１１】
接続孔３は、帯の両端部２ａ，２ｂをそれぞれ折り曲げて形成されており、一端部２ａをストラップ本体２側へ折り曲げることで接続孔３ａが形成され、他端部２ｂをストラップ本体２側へ折り曲げることで接続孔３ｂが形成されている。また、二つの接続孔３ａ，３ｂをお互いの両端部２ａ，２ｂが対向するように配した状態で、両端部２ａ，２ｂの近傍を糸５で縫製している。
【００１２】
環状リング４は、二つの接続孔３ａ，３ｂにそれぞれ一つずつ取り付けられており、環状リング４ａは接続孔３ａに取り付けられ、環状リング４ｂは接続孔３ｂに取り付けられている。本実施形態においては、二つ環状リング４ａ，４ｂの内、一方が携帯電話を吊り下げるためのリング４ａであり、他方が従業員証を吊り下げるためのリング４ｂで構成されている。
【００１３】
次に、作用について説明する。
図２に示すように、使用者がリバーシブルネックストラップ１に携帯電話１１と従業員証１２とを、首から吊り下げた状況では、ストラップ本体２の両端部２ａ，２ｂが環状に形成されたストラップ本体２の内側に内包されるようになり、使用者以外の者が両端部２ａ，２ｂを視認することは困難である。
【００１４】
また、ストラップ本体２の一方の面２ｃが外側になるように首から吊り下げても、他方の面２ｄが外側になるように首から吊り下げても、接続孔３の見栄えは略同一となり、ストラップ本体の帯の両端部２ａ，２ｂは、常に視認されにくい内側の位置に配されていることとなる。
【００１５】
さらに、ストラップ本体２の一方の面２ｃには模様Ａが描かれており、他方の面２ｄには模様Ｂが描かれているため、どちらの面が外側に露出しても正しく装着していると感じる。つまり、ストラップをリバーシブルに使用することができる。
【００１６】
したがって、上述の実施形態によれば、帯状のストラップ本体２を有するリバーシブルネックストラップ１において、ストラップ本体２の両端部２ａ，２ｂを内側に折り返して接続孔３ａ，３ｂを形成し、両端部２ａ，２ｂがストラップ本体２によって形成される環状部の内側に配置されるように、両端部２ａ，２ｂを対向した状態で縫製した。このように構成することで、帯状のストラップ本体２の端部２ａ，２ｂが外側に露出しないため、使用中にストラップ本体２が反転しても、帯状のストラップ本体２の表裏を感じさせず、見栄えが向上すると共に、ストラップ本体２の両面を各々別デザインのものとして独立した商品価値を持たせることができる。
【００１７】
また、二つの接続孔３ａ，３ｂが形成されるため、例えば、環状リングを二つ取り付けたい場合に、従来であれば一つの接続孔に二つの環状リングを取り付けなければならなかったり、一つの環状リングに複数の接続具をとりつけなければならなかったものが、それぞれの接続孔３ａ，３ｂに一つずつ環状リング４ａ，４ｂを取り付けることができるため、使い勝手が向上する効果もある。
【００１８】
さらに、ストラップ本体２の表裏面２ｃ，２ｄに模様Ａ，Ｂを描いたため、一方の面２ｃおよび他方の面２ｄのいずれの面が外側に露出するように装着しても模様ＡまたはＢが描かれており、ストラップ本体２が裏返っていると感じることを無くすことができ、使用者がリバーシブルに使用することができると共に、より見栄えを向上させることができる。
【００１９】
尚、この発明は上述した実施形態に限られるものではなく、以下の態様を採用してもよい。
上述の実施形態では、接続孔を形成する際に糸で縫製する場合の説明をしたが、超音波加工などにより溶着してもよい。
また、上述の実施形態ではストラップ本体が布製である場合の説明をしたが、材質は特に拘らない。
さらに、ストラップ本体の模様は、スクリーン印刷、昇華転写および製織などにより形成すればよい。
【図面の簡単な説明】
【００２０】
【図１】本発明の実施形態におけるリバーシブルネックストラップの斜視図である。
【図２】本発明の実施形態におけるリバーシブルネックストラップの使用時の概略斜視図である。
【図３】従来のネックストラップの斜視図である。
【符号の説明】
【００２１】
１…リバーシブルネックストラップ  ２…ストラップ本体  ２ａ，２ｂ…端部  ２ｃ，２ｄ…面（表裏面）  ３…接続孔  ４…環状リング（接続具）  Ａ，Ｂ…模様
【図１】
2008200408.tif 000003
【図２】
2008200408.tif 000004
【図３】
2008200408.tif 000005